(57)【特許請求の範囲】
【請求項１】
内側に照明光源を備えた建物の外光取入れ用の窓に設けられた透明又は半透明の光透過部材の外側面に害虫が定置するのを排除する害虫防除装置であって、
前記光透過部材の外側面に定置しようとする害虫を強制排除する排除手段を備え、
この排除手段は、その稼働の時期・時間帯を任意に選択自在であり、かつ、前記光透過部材の外側面に、互いに小間隔をおいて設けた櫛歯状の異極電極であり、これら電極間に電圧を印加して前記外側面に害虫が定置したとき短絡電流が流れるようにしたことを特徴とする害虫防除装置。
【請求項２】
前記電極間の小間隔は、０．５〜２ｍｍ程度であることを特徴とする請求項１記載の害虫防除装置。
【発明の詳細な説明】
【技術分野】
【０００１】
本発明は、内側に照明光源を備えた建物等の区画空間の外光取入れ用開口部（窓）に設けて使用され、建物内の光により誘引される飛翔害虫を忌避又は排除する害虫防除装置に関する。
【背景技術】
【０００２】
従来のこの種の害虫防除のための構成としては、（１）６００ｎｍ以下の光をカットするフィルムを貼ったり、（２）窓に殺虫剤を振付けることが行われていた。さらにまた、異極電極間に高電圧を印加して電撃により殺虫する殺虫機が知られているが（例えば、特許文献１参照）、この殺虫機は、建物等の区画空間の窓に適用されるものではない。
【特許文献１】特開平１１−０４６６５９号公報
【発明の開示】
【発明が解決しようとする課題】
【０００３】
しかしながら、上記従来の（１）は、室内が外光からの光で、内部が赤っぽい空間となり、また、（２）は、効果の持続が短く、また、昆虫種では効果がない、といった問題があった。また、いずれも、必要のない時期（冬など）・時間帯（日中）であっても、常時設置され、稼動状態となり、不要な時間帯に、区画空間内に入る外光の光色が変わって雰囲気が悪くなったり、効果を発揮する寿命が短くなったり（フィルムは太陽光で劣化し、殺虫剤は持続期間が短い）、昆虫種により効果が有ったり無かったりする。
【０００４】
本発明は、上記問題を解消するものであり、区画空間の外光取り入れ用の開口部に、区画空間内の照明光により誘引される飛翔害虫を、区画空間内の雰囲気を損なうことなく、かつ、効率よく開口部から忌避又は排除することができる害虫防除装置を提供することを目的とする。
【課題を解決するための手段】
【０００５】
上記目的を達成するために本発明は、内側に照明光源を備えた建物の外光取入れ用の窓に設けられた透明又は半透明の光透過部材の外側面に害虫が定置するのを排除する害虫防除装置であって、前記光透過部材の外側面に定置しようとする害虫を強制排除する排除手段を備え、この排除手段は、その稼働の時期・時間帯を任意に選択自在であり、かつ、前記光透過部材の外側面に、互いに小間隔をおいて設けた櫛歯状の異極電極であり、これら電極間に電圧を印加して前記外側面に害虫が定置したとき短絡電流が流れるようにしたものである。
【０００６】
前記電極間の小間隔は、０．５〜２ｍｍ程度であることが望ましい。
【発明の効果】
【０００９】
本発明によれば、必要な時期・時間帯だけに排除手段を稼働させて、建物室内への外光取入れ用の窓の光透過部材の外側面に、室内照明光により誘引される飛翔害虫を強制排除することができる。従って、室内の雰囲気を損なうことなく、かつ効率よく開口部から害虫を忌避又は排除することが可能で、開口部に定置する飛翔害虫を大幅に減らすことができる。また、排除手段は長寿命であり、しかも昆虫種によらずに効果を奏する。
【発明を実施するための最良の形態】
【００１０】
以下、本発明の実施形態による害虫防除装置について図面を参照して説明する。
（第１実施形態）
図１は第１実施形態による害虫防除装置の断面構成を、図２はその正面構成を示す。この害虫防除装置は、建物１（区画空間を形成）の外光取入れ用の窓等の開口部１ａに設けられたガラス等の透明又は半透明の光透過部材２の外側面に害虫６が定置するのを排除するものであって、建物内部Ａ（内側）に備えられた照明光源３の光が建物外部Ｂを飛翔する害虫６を開口部１ａに誘引する誘引光となる場合に適用される。害虫防除装置は、光透過部材２の外側面に定置しようとする害虫を強制排除する、稼働の時期・時間帯を任意に選択自在な排除手段を備える。
【００１１】
本実施形態の排除手段は、光透過部材２の外側面に、互いに小間隔をおいて設けた異極電極４であり、これら異極電極４間に電源５によりリード線５１，５２を介して電圧を印加して該外側面に害虫６が定置したとき短絡電流が流れるようにしたものである。これにより、害虫６が該外側面に定置しようとすると、害虫に電撃が与えられるので、逃げていく。異極電極４は、導電性膜（金属ハーフミラー膜、透明導電膜等）及び金属線、箔等を用いればよい。異極電極４間の小間隔は、略０．５〜２ｍｍ程度が望ましい。各電極４の幅は略１〜３ｍｍ程度が望ましい。この異極電極４は横向き櫛歯状に形成されている。
【００１２】
図３、図４、及び図５は、異極電極４の他の構成例をそれぞれ示している。図３のものは、櫛歯状の異極電極４が波打形状とされ、図４のものは、異極電極４が縦向き櫛歯状に形成され、図５のものは、害虫が上方に向かう性質を考慮して、横向きで中心部が上に山形状に形成されている。
【００１３】
本実施形態の害虫防除装置について、下記の条件にて試験を行った。異極電極４には、採光を妨げないような透明性の高い透明導電膜（ＩＴＯ）を用い、光透過部材２であるガラスに膜を塗布した。異極電極４の形状は、昆虫（害虫）が上方へ向う性質を考慮した図５のものとし、異極電極４間の小間隔は、約１ｍｍ程度とし、電極４の幅は約２ｍｍ程度とした。電気特性としては、短絡電流２０ｍＡ、印加電圧５００Ｖ（交流）とした。以上の電極構成を光透過部材２の外側面（飛翔昆虫側）に施し、建物内側Ａから照明光源３で光透過部材２に光照射して昆虫の誘引定着数を評価した（評価は、３時間の稼働経過後）。その結果、次の通り、外光取入れ用開口部１ａに誘引、定置する飛翔昆虫を大幅に減らすことができた。
【００１４】
誘引定着昆虫数
通常の窓            １１２９匹
ＵＶカット窓          ５８１匹
本実施形態                ２匹
【００１５】
（第２実施形態）
図６は第２実施形態による害虫防除装置の断面構成を、図７はその正面構成を示す。この害虫防除装置は、排除手段として、光透過部材２の外側表面に、通電により発熱する導電膜又は発熱線４１を設けた。その他の構成は、第１実施形態と同等である。導電膜又は発熱線４１は、蛇行状に設けている。導電膜としては、高抵抗透明導電膜（ＩＴＯ）や金属膜を用い、光透過部材２の外側表面に塗布する。この構成により、光透過部材２の外側表面を加熱できるようにしており、光透過部材２の表面温度が略５０〜８０℃となるようにした。また、建物内部への熱伝導を緩和するために、透明部材２の内方面に、空気層等の透明断熱体２１を設けることが望ましい。
【００１６】
本実施形態による害虫防除装置において、光透過部材２の表面温度の平均が約６０℃になるようにして、上記と同様の評価試験を行った。その結果、次の通り、外光取入れ用開口部に誘引、定置する飛翔昆虫を大幅に減らすことができた。
【００１７】
誘引定着昆虫数
通常の窓            １１２９匹
ＵＶカット窓          ５８１匹
本実施形態                ３匹
【００１８】
（第３実施形態）
図８は第３実施形態による害虫防除装置の断面構成を、図９はその正面構成を示す。この害虫防除装置は、排除手段として、光透過部材２の外側表面に、水等の透明な液体４３を流す構成とした。その他の構成は、第１実施形態と同等である。ここに、液体４３の流速が、１ｃｍ／ｓｅｃ以上となるようにした。液体４３を流す構成として、光透過部材２の上方に液体を流すための貯液タンク７１を、下方に、流下する液体４３を貯める容器７２を設けた。容器７２は、昆虫を捕獲するための箱でもある。
【００１９】
図１０、図１１は、本実施形態による害虫防除装置において、一度、流した液体４３をポンプ７４で循環できるようにした構成例を示す。図１０の構成例においては、容器７２から貯液タンク７１に向けて循環パイプ７５が設けられ、その途中にフィルタ７３及びポンプ７４が配置されている。この構成では、害虫６は、容器７２の中に捕獲される。
【００２０】
図１１の構成例においては、前記フィルタ７３に替えて、光透過部材２の下方で容器７２内に網（メッシュ）網７６を配置し、害虫を捕獲するようにている。これにより、光透過部材２の表面に流れる液体４３と一緒に流れ落ちた害虫は、容器７２内に網（メッシュ）にて液体と分離されるので、害虫を廃棄し易くなる。
【００２１】
本実施形態の害虫防除装置において、光透過部材２の外側表面を流れる水の流速を約５ｃｍ／ｓｅｃとして、上記と同様の評価試験を行った。その結果、次の通り、外光取入れ用開口部に誘引、定置する飛翔昆虫を大幅に減らすことができた。また、本実施形態の場合、冷房効率の向上と、洗浄及び癒し効果が得られる。
【００２２】
誘引定着昆虫数
通常の窓            １１２９匹
ＵＶカット窓          ５８１匹
本実施形態                ０匹
【００２３】
なお、本発明は、上記実施形態の構成に限られず、発明の趣旨を変形しない範囲で種々の変形が可能である。
【図面の簡単な説明】
【００２４】
【図１】本発明の第１実施形態による害虫防除装置の断面図。
【図２】同上装置の正面図。
【図３】同上装置の異極電極の他の構成例を示す正面図。
【図４】同上装置の異極電極のさらに他の構成例を示す正面図。
【図５】同上装置の異極電極のさらに他の構成例を示す正面図。
【図６】本発明の第２実施形態による害虫防除装置の断面図。
【図７】同上装置の正面図。
【図８】本発明の第３実施形態による害虫防除装置の断面図。
【図９】同上装置の正面図。
【図１０】同上装置において液体循環を可能とした構成例の正面図。
【図１１】同上装置において液体循環を可能とした構成例の正面図。
【符号の説明】
【００２５】
１  建物（区画空間を形成）
１ａ  外光取入れ用の開口部
２  光透過部材
３  照明光源
４  異極電極
４１  導電膜又は発熱線
４３  液体
５  電源
６  害虫
７１  貯液タンク
７２  容器
【図１】
0004821184.tif 000002
【図２】
0004821184.tif 000003
【図３】
0004821184.tif 000004
【図４】
0004821184.tif 000005
【図５】
0004821184.tif 000006
【図６】
0004821184.tif 000007
【図７】
0004821184.tif 000008
【図８】
0004821184.tif 000009
【図９】
0004821184.tif 000010
【図１０】
0004821184.tif 000011
【図１１】
0004821184.tif 000012